(57)【要約】【課題】  火打ちを省略することができ、天井の位置を高くするか、同じ天井高さであれば、屋根を低くして、広い室内空間を確保する。【解決手段】  屋根ユニット１５０の下弦材１５４に対して、天井板１４０が取り付けられ、火打ちは設けられない。トラス屋根構造とすることで、梁１００，１０２，１０４にかかる水平力を、斜めのウェブ材１５８を通じて上弦材１５２の方向に分散させることができ、これによって建物の強度が向上し、火打ちを設けないことによる強度低下が防止される。梁の間の火打ちをなくすことで、天井板１４０を、屋根ユニット１５０の下弦材１５４に取り付けることができ、天井を高くして、広い室内空間を得ることができる。【選択図】図１
2018035624.tif 000002
【特許請求の範囲】
【請求項１】
柱で支えられた梁の上に屋根が設けられる木造建築構造であって、
前記屋根を支える屋根ユニットを、上弦材，ウェブ材，下弦材を含むトラス構造とすることで、前記梁の間の火打ちを省略するとともに、前記下弦材に天井を設けたことを特徴とする木造建築構造。
【請求項２】
柱で支えられた梁の上に屋根が設けられる木造建築構造であって、
前記屋根を支える屋根ユニットを、上弦材，ウェブ材，下弦材を含むトラス構造とするとともに、このトラス構造と野地板によって必要な強度を確保することによって、前記梁の間の火打ちを省略し、前記下弦材に天井を設けたことを特徴とする木造建築構造。
【請求項３】
前記屋根ユニットの上弦材，ウェブ材，下弦材としてツーバイ材を使用したことを特徴とする請求項１又は２記載の木造建築構造。
【発明の詳細な説明】
【技術分野】
【０００１】
本発明は、木造建築構造に関するものであり、特に、屋根及び天井の構造の改良に関するものである。
【背景技術】
【０００２】
木造の建築物では、地震などにおいて生ずる水平方向の力による建物の変形を防ぐため、火打ち梁（以下単に「火打ち」という）が設けられている。水平方向に設けられている梁にかかる水平力を火打ちで分散させることによって、建物の強度の向上を図っている。
【０００３】
通常、火打ちは、梁や吊り束などと同様に、天井板によって隠されており、部屋側から火打ちが直接目につかないような構造としている。
【０００４】
図４には、その一例が示されており、梁１０，１２，１４がほぼ平行に設けられており、それらにほぼ直交して梁１６，１８，・・・が設けられている。これらの梁１０〜１８，・・・は、柱２０，２２，２４，２６，・・・によって支えられている。梁１０と梁１６の角部内側には火打ち（筋交い）３０が斜めに設けられており、梁１４と梁１６の角部内側には火打ち３２が斜めに設けられている。梁１６，１８，・・・には、複数の束５４が適宜の間隔で垂直方向に設けられている。束５４の上端に、梁１０，１２，１４の方向に棟木５５，母屋５６が設けられている。そして、これら棟木５５，母屋５６と直交する方向に垂木６０が適宜の間隔で多数設けられている。束５４を、中心から両端の梁１０，１４に向かって長さが順次小さくなるようにすることで、垂木６０に勾配が生じ、これが屋根の勾配となる。
【０００５】
前記垂木６０の上には、野地板（図示せず）が設けられる。また、上述した梁１６，１８，・・・の下側に、天井板が設けられる。これにより、火打ち３０，３２，束５４，棟木５５，母屋５６などの天井裏の部分が、部屋側から見て隠れるようになる。
【０００６】
上述した背景技術のように、火打ち３０，３２を天井板で隠すような構造とすると、天井の高さは、梁１６，１８，・・・の下側となってしまう。
【０００７】
これに対し、例えば、下記特許文献１には、天井を火打ちの上側に設けるとともに、火打ちを内壁から突出させるようにして、天井裏となっていた空間も取り込んだ、天井の高い開放的な部屋構造が開示されている。
【先行技術文献】
【特許文献】
【０００８】
【特許文献１】特開平11-117434号公報
【発明の概要】
【発明が解決しようとする課題】
【０００９】
しかしながら、上述した背景技術は、いわば野地板が天井板と兼用された天井裏が剥き出しの構造であり、火打ちがそのまま露出することとなって、必ずしも好ましいとは言えない。
【００１０】
本発明は、以上のような点に着目したもので、その目的は、火打ちを省略して、天井の位置を高くするか、同じ天井高さであれば、屋根を低くすることである。他の目的は、広い室内空間を得ることである。
【課題を解決するための手段】
【００１１】
本発明は、柱で支えられた梁の上に屋根が設けられる木造建築構造であって、前記屋根を支える屋根ユニットを、上弦材，ウェブ材，下弦材を含むトラス構造とすることで、前記梁の間の火打ちを省略するとともに、前記下弦材に天井を設けたことを特徴とする。
【００１２】
更に他の発明は、柱で支えられた梁の上に屋根が設けられる木造建築構造であって、前記屋根を支える屋根ユニットを、上弦材，ウェブ材，下弦材を含むトラス構造とするとともに、このトラス構造と野地板によって必要な強度を確保することによって、前記梁の間の火打ちを省略し、前記下弦材に天井を設けたことを特徴とする。
【００１３】
主要な形態の一つは、前記屋根ユニットの上弦材，ウェブ材，下弦材としてツーバイ材を使用したことを特徴とする。本発明の前記及び他の目的，特徴，利点は、以下の詳細な説明及び添付図面から明瞭になろう。
【発明の効果】
【００１４】
本発明によれば、屋根をトラス構造とするなどによって必要な強度を得ることとしたので、火打ちを省略することができ、天井の位置を高くするか、同じ天井高さであれば、屋根を低くすることができる。
【図面の簡単な説明】
【００１５】
【図１】本発明の実施例１の建築構造を示す主要斜視図である。
【図２】前記実施例１と背景技術における天井と屋根の高さの関係を比較して示す図である。
【図３】本発明の実施例２の建築構造を示す主要斜視図である。
【図４】従来の建築構造の一例を示す斜視図である。
【発明を実施するための形態】
【００１６】
以下、本発明を実施するための形態を、実施例に基づいて詳細に説明する。
【実施例１】
【００１７】
最初に、図１を参照しながら、本発明の実施例１について説明する。同図において、梁１００に直交して、梁１０２，１０４が平行に設けられており、これらの梁１００，１０２，１０４は、柱１０６，１０８，１１０によって支えられている。なお、他に、図示しない梁や柱も存在する。梁１００，１０２，１０４上には、複数の屋根ユニット１５０が適宜の間隔で平行に設けられる。屋根ユニット１５０は、トラス構造（ダブルハウトラス）となっており、上弦材１５２，下弦材１５４と、それらを支えるウェブ材１５６，１５８によって構成されている。ウェブ材１５６の間に、斜めにウェブ材１５８が設けられており、これによってトラスが形成されている。上弦材１５２，下弦材１５４，ウェブ材１５６，１５８の接合は、例えばネイルプレートによって行われている。なお、軒の出は図示していないが、必要に応じて設けられる。
【００１８】
上述した屋根ユニット１５０は、梁１０２，１０４間に、適宜の間隔で多数配置される。そして、屋根ユニット１５０の下弦材１５４に対して、天井板１４０が取り付けられる。すなわち、梁１００，１０２，１０４の上端側に、天井が設けられる。一方、ウェブ材１５６は、中心から両端に向かって順次長さが短くなっており、これによって上弦材１５２に勾配が生ずるようになっている。前記上弦材１５２上には、野地板１４２を設ける。
【００１９】
ところで、本実施例によれば、上述したように、屋根ユニット１５０の下弦材１５４に対して、天井板１４０が取り付けられ、背景技術のような火打ちは設けられない。しかし、火打ちを設けないことによる強度低下は、トラス屋根構造とすることで補っている。すなわち、トラス屋根構造とすることで、梁１００，１０２，１０４にかかる水平力を、斜めのウェブ材１５８を通じて上弦材１５２の方向に分散させることができ、更には、上弦材１５２から野地板１４２の方向にも力が分散されるようになり、十分な水平力に対する強度を得ることができる。
【００２０】
このように、本実施例によれば、トラス屋根構造とすることによって、梁の間の火打ちをなくすことができる。このため天井板１４０を、屋根ユニット１５０の下弦材１５４に取り付けることができ、天井を高くして、広い室内空間を得ることができる。図２には、その様子が示されており、(A)は上記実施例の場合であり、(B)は背景技術の場合である。屋根の高さが同じであるとすると、本実施例の天井のほうが高さＨ分高くなる。同図(C)，(D)は天井の高さを同じとした場合であり、本実施例の(C)のほうが屋根をＨ分低くすることができる。
【実施例２】
【００２１】
次に、本発明の実施例２について説明する。実施例２は、屋根ユニットのトラス構造を他の構成（フィンクトラス）とした例で、屋根ユニット１７０は、上弦材１７２と、下弦材１７４と、それらの間のウェブ材１７６，１７８とによって構成されている。すなわち、上弦材１７２と、下弦材１７４によって全体が三角形に構成されており、それらの間に複数のウェブ材１７６，１７８を斜めに設けることによって、上弦材１７２にかかる荷重を垂直方向及び水平方向に分散させる構造となっている。
【００２２】
なお、本発明は、上述した実施例に限定されるものではなく、本発明の要旨を逸脱しない範囲内において種々変更を加えることができる。例えば、以下のものも含まれる。
(1)屋根の構造としては、切妻，寄棟，片流れなど、各種の種類があるが、いずれであっても、本発明は適用可能である。
(2)屋根ユニットのトラス構造としては、上述したダブルハウトラスやフィンクトラスの他に各種のものが知られており、いずれを適用してもよい。
(3)前記実施例では、屋根ユニットを並列に組み合わせるようにして屋根を組み立てたが、各種の公知の組み立て方としてよい。
(4)上弦材，ウェブ材，下弦材や野地板などの木材としては、ＳＰＦやホワイトウッドなど、公知の各種のものを使用してよい。また、サイズとしては、ツーバイ材を用いるようにしてよい。
(5)前記実施例では、トラス構造によって火打ちを省略することとしたが、トラス構造と野地板によって必要な強度を確保することで火打ちを省略し、前記下弦材に天井を設けるようにしてもよい。
【産業上の利用可能性】
【００２３】
本発明によれば、屋根をトラス構造として強度の向上を図ることとしたので、火打ちを省略することができ、天井の位置を高くするか、同じ天井高さであれば、屋根を低くすることができ、木造建築物全般に適用可能である。
【符号の説明】
【００２４】
１０，１２，１４，１６，１８，・・・：梁
２０，２２，２４，２６，・・・：柱
３０，３２：火打ち
５４：束
５５：棟木
５６：母屋
６０：垂木
１００，１０２，１０４：梁
１０６，１０８，１１０：柱
１４０：天井板
１４２：野地板
１５０：屋根ユニット
１５２：上弦材
１５４：下弦材
１５６，１５８：ウェブ材
１７０：屋根ユニット
１７２：上弦材
１７４：下弦材
１７６，１７８：ウェブ材
【図１】
2018035624.tif 000003
【図２】
2018035624.tif 000004
【図３】
2018035624.tif 000005
【図４】
2018035624.tif 000006